(57)【要約】【課題】記録媒体の残容量が不足するとき、複数コマの画像を記録する撮影モードの撮影動作を禁止するようにした電子カメラを得る。【解決手段】演算回路１０１（図１）は、ＷＢブラケティングが設定されている（ステップＳ１５を否定判定）状態で、メモリカードに記録可能な残コマ数Ｎとブラケティング記録回数パラメータｎとの間にＮ≧ｎが成立する場合に撮影動作を許可（ステップＳ１７を肯定判定）する。演算回路１０１は、ＷＢブラケティングが設定されている（ステップＳ１５を否定判定）状態で、残コマ数Ｎとブラケティング記録回数パラメータｎとの間にＮ≧ｎが成立しない場合に撮影動作を禁止（ステップＳ１７を否定判定）する。【選択図】図３
2008067401.tif 000002
【特許請求の範囲】
【請求項１】
被写体像を撮像して画像信号を出力する撮像素子と、
前記画像信号を記録媒体に記録する画像記録回路と、
レリーズ操作に応じて１コマの画像信号を記録する第１の撮影モードと、レリーズ操作に応じて２コマ以上の画像信号を記録する第２の撮影モードとを切換える切換え手段と、
前記記録媒体に記録可能な残コマ数を検出する残コマ数検出回路と、
前記切換え手段によって前記第２の撮影モードに切換えられているとき、前記残コマ数が前記第２の撮影モードによる記録コマ数より小となる場合に報知する報知手段とを備えることを特徴とする電子カメラ。
【請求項２】
請求項１に記載の電子カメラにおいて、
前記報知手段によって前記報知が行われている状態で、前記レリーズ操作後の前記撮像および前記記録を禁止する禁止手段をさらに備えることを特徴とする電子カメラ。
【請求項３】
請求項１または２に記載の電子カメラにおいて、
前記第２の撮影モードは、前記画像信号に対するホワイトバランス調整値を変更してホワイトバランス調整した２コマ以上の画像信号を前記記録媒体にそれぞれ記録するホワイトバランスブラケティング撮影を行うことを特徴とする電子カメラ。
【請求項４】
請求項１または２に記載の電子カメラにおいて、
前記第２の撮影モードは、露出値を変更して撮像した２コマ以上の画像信号を前記記録媒体にそれぞれ記録するＡＥブラケティング撮影を行うことを特徴とする電子カメラ。
【請求項５】
請求項１または２に記載の電子カメラにおいて、
前記第２の撮影モードは、被写体を照明する閃光装置の発光量を変更して撮像した２コマ以上の画像信号を前記記録媒体にそれぞれ記録する調光ブラケティング撮影を行うことを特徴とする電子カメラ。
【請求項６】
請求項１または２に記載の電子カメラにおいて、
前記第２の撮影モードは、露出値および被写体を照明する閃光装置の発光量をそれぞれ変更して撮像した２コマ以上の画像信号を前記記録媒体にそれぞれ記録するＡＥ調光ブラケティング撮影を行うことを特徴とする電子カメラ。
【請求項７】
請求項１または２に記載の電子カメラにおいて、
前記第２の撮影モードは、連続して撮像した２コマ以上の画像信号を前記記録媒体にそれぞれ記録する連写撮影を行うことを特徴とする電子カメラ。
【発明の詳細な説明】
【技術分野】
【０００１】
本発明は、撮像素子などによって撮像された画像を記録する電子カメラに関する。
【背景技術】
【０００２】
レリーズ操作に応じて複数コマの画像を記録する撮影モードを有する電子カメラが知られている。たとえば、ホワイトバランス（ＷＢ）ブラケティング撮影を行う電子カメラは、撮像された画像信号に対する色温度調整の基準を変更してＷＢ調整値を段階的に変化させ、それぞれのＷＢ調整値でＷＢ調整処理を施して複数コマの画像を得る。これら複数の画像は、メモリカードなどの記録媒体に記録される。
【発明の開示】
【発明が解決しようとする課題】
【０００３】
メモリカードにＷＢブラケティングによる複数コマの画像を記録するのに十分な残容量（残コマ数）がない場合、複数コマの画像の全てを記録することができなくなる。異なるＷＢ調整値による画像を記録したいという撮影者の意図に反して、記録できない画像が生じてしまう。
【課題を解決するための手段】
【０００４】
本発明による電子カメラは、被写体像を撮像して画像信号を出力する撮像素子と、画像信号を記録媒体に記録する画像記録回路と、レリーズ操作に応じて１コマの画像信号を記録する第１の撮影モードと、レリーズ操作に応じて２コマ以上の画像信号を記録する第２の撮影モードとを切換える切換え手段と、記録媒体に記録可能な残コマ数を検出する残コマ数検出回路と、切換え手段によって第２の撮影モードに切換えられているとき、残コマ数が第２の撮影モードによる記録コマ数より小となる場合に報知する報知手段とを備えることにより、上述した目的を達成する。
上記電子カメラはさらに、報知手段によって報知が行われている状態で、レリーズ操作後の撮像および記録を禁止する禁止手段を備えてもよい。
第２の撮影モードは、画像信号に対するホワイトバランス調整値を変更してホワイトバランス調整した２コマ以上の画像信号を記録媒体にそれぞれ記録するホワイトバランスブラケティング撮影を行うこともできる。
第２の撮影モードは、露出値を変更して撮像した２コマ以上の画像信号を記録媒体にそれぞれ記録するＡＥブラケティング撮影を行うものでもよい。
第２の撮影モードは、被写体を照明する閃光装置の発光量を変更して撮像した２コマ以上の画像信号を記録媒体にそれぞれ記録する調光ブラケティング撮影を行うものでもよい。
第２の撮影モードは、露出値および被写体を照明する閃光装置の発光量をそれぞれ変更して撮像した２コマ以上の画像信号を記録媒体にそれぞれ記録するＡＥ調光ブラケティング撮影を行うものでもよい。
第２の撮影モードは、連続して撮像した２コマ以上の画像信号を記録媒体にそれぞれ記録する連写撮影を行うものでもよい。
【発明の効果】
【０００５】
本発明によれば、残コマ数が不足すると報知するようにしたので、２コマ以上の画像を記録する撮影モードで撮影したにもかかわらず、未記録画像が生じることを防止できる。
【発明を実施するための最良の形態】
【０００６】
以下、図面を参照して本発明を実施するための最良の形態について説明する。
図１は、本発明の一実施の形態による電子カメラの構成を示すブロック図である。図１において、ＣＣＤなどの撮像素子を含めて構成される撮像装置１２１は、被写体像を撮像して画像信号を出力する。Ａ／Ｄ変換回路１２２は、撮像装置１２１から出力されるアナログ画像信号をデジタル信号に変換する。ＡＳＩＣなどで構成される画像処理回路１２３は、デジタル画像信号に対してホワイトバランス（ＷＢ）調整などの画像処理、画像処理後の画像データを所定の形式で圧縮する圧縮処理、圧縮されたデータを伸長する伸長処理などを行う。画像処理は、輪郭補償およびガンマ補正を含む。タイミング回路１２４は、タイミング信号を発生して撮像装置１２１およびＡ／Ｄ変換回路１２２に駆動信号を出力する。バッファメモリ１２５は、画像処理、圧縮処理および伸長処理など、各種の処理を施す画像データを一時的に格納するメモリである。メモリカードなどの記録媒体１２６は、画像データが記録されるもので、電子カメラに対して着脱可能に構成されている。
【０００７】
演算回路１０１は、電子カメラの測距演算や測光時のアペックス演算などの各種演算と、カメラ動作のシーケンス制御とを行う。測光装置１０２は、被写体の輝度を検出して検出信号を演算回路１０１に出力する。焦点検出装置１０３は、不図示の撮影レンズによる焦点位置の調節状態を検出し、検出信号を演算回路１０１へ出力する。レンズ駆動装置１０４は、演算回路１０１の指令により不図示の撮影レンズを構成するフォーカスレンズを光軸方向に進退駆動し、撮影レンズの焦点位置を調節する。
【０００８】
絞り位置検出装置１１０は、絞り値に対応する絞り位置を検出して検出信号を演算回路１０１に出力する。絞り係止装置１１１は、駆動中の絞りを係止し、所定の絞り値で絞りを停止させる。レリーズスイッチ１１４は、不図示のレリーズボタンに連動してレリーズ操作信号を演算回路１０１に出力する。
【０００９】
シャッタ制御回路１０５は、シャッタ１０６の不図示の先幕および後幕の保持および解除をそれぞれ制御する。モータ制御回路１０７は、演算回路１０１の指令によってシーケンスモータ１０８を駆動制御する。シーケンスモータ１０８は、不図示のシーケンス駆動装置を構成し、不図示のミラーのアップ／ダウン、不図示の絞りの駆動、およびシャッタ１０６のチャージなどを行う。シーケンススイッチ１０９は、上述したシーケンス駆動装置を構成し、シーケンスモータ１０８のブレーキ制御タイミングなどを発生するスイッチである。
【００１０】
ＷＢブラケティング設定操作部材１１３は、たとえば、不図示のＷＢブラケティングボタン、メインコマンドダイヤルおよびサブコマンドダイヤルによって構成され、ＷＢブラケティングの設定操作に応じて設定操作信号を出力する。ＷＢブラケティング設定操作部材１１３は、ＷＢブラケティングボタンが押下されている状態でメインコマンドダイヤルが回転されると、回転操作のたびにＷＢブラケティングの設定および解除を行うための操作信号を交互に出力する。
【００１１】
ＷＢブラケティングは、撮像された画像データに対する色温度調整の基準を変更してＷＢ調整値を段階的に変化させ、それぞれのＷＢ調整値を用いてＷＢ調整した複数の画像を得るものである。本実施の形態では、ＷＢ調整値を３段階に変化させて３つの画像データを得る。つまり、撮像装置１２１から出力された画像データに３通りのＷＢ調整を行う。ここで、ＷＢ調整値の変更は、たとえば、ミレッド値の変更によって行われる。ミレッド値を＋方向に変更すると画像の色が青みがかり、−方向に変更すると画像の色が赤みがかる。ＷＢブラケティングを設定して撮影動作を行うと、カメラにあらかじめ設定されているＷＢ調整値による画像、この画像に対して青みがかった画像および赤みがかった画像の計３コマの画像データが記録媒体１２６に記録される。
【００１２】
ＷＢブラケティング設定操作部材１１３は、ＷＢブラケティングボタンが押下されている状態でサブコマンドダイヤルが回転されると、ＷＢブラケティング設定時に段階的に変化させるミレッド値の補正ステップを調節する操作信号を、回転操作に応じて出力する。演算回路１０１は、入力される回転操作信号に応じて画像処理回路１２３に補正ステップ変更の指示を行う。
【００１３】
画質モード選択操作部材１１５は、たとえば、不図示の画質ボタン、メインコマンドダイヤルによって構成され、画質モードの選択操作に応じて選択操作信号を出力する。画質ボタンが押下されている状態でメインコマンドダイヤルが回転されると、演算回路１０１は、入力される回転操作信号に応じて画像処理回路１２３に以下の指示を行う。すなわち、記録媒体１２６に画像データを記録する際の記録画質を変更するために、画像処理回路１２３に画像処理の要否および圧縮処理時の圧縮率を指示する。記録画質は、たとえば、次の５通りに変更可能に構成されている。画質［1］側が高画質であり、画質［5］側が低画質である。
画質［1］画像データに画像処理を施さずに記録する「ＲＡＷ」
画質［2］画像処理後の画像データを非圧縮で記録する「ＴＩＦＦ」
画質［3］画像処理後の画像データを圧縮率約１／４で記録する「ＦＩＮＥ」
画質［4］画像処理後の画像データを圧縮率約１／８で記録する「ＮＯＲＭＡＬ」
画質［5］画像処理後の画像データを圧縮率約１／１６で記録する「ＢＡＳＩＣ」
【００１４】
画像サイズ選択操作部材１１６は、たとえば、不図示の画素数ボタン、メインコマンドダイヤルによって構成され、画像サイズの選択操作に応じて選択操作信号を出力する。画素数ボタンが押下されている状態でメインコマンドダイヤルが回転されると、演算回路１０１は、入力される回転操作信号に応じてタイミング回路１２４に以下の指示を行う。すなわち、撮像装置１２１から読み出す１画面当たりの信号の数（１画像当たりの画素数）の変更を指示する。これにより、記録媒体１２６に記録する画像データの記録画素数が変更される。記録画素数は、たとえば、次の３段階に変更可能に構成されている。
画素数［1］１画面を構成する画素数が３００８×２０００ドットの「Ｌサイズ」
画素数［2］１画面を構成する画素数が２２４０×１４８８ドットの「Ｍサイズ」
画素数［3］１画面を構成する画素数が１５０４×１０００ドットの「Ｓサイズ」
【００１５】
表示装置１１２は、たとえば、液晶表示器によって構成され、電子カメラの設定内容を示す情報を文字やマークで表示する。表示装置１１２には、シャッタ速度、絞り値などの撮影情報も表示される。図２は、表示装置１１２の表示セグメントを説明する図である。セグメント２１は、撮影時の露光時間（シャッタ速度）、ＷＢブラケティングボタン押下時の記録コマ数などを示す表示に使用される。セグメント２２は、撮影時の絞り値、ＷＢブラケティングボタン押下時の補正ステップなどを示す表示に使用される。セグメント２３は、撮影コマ数もしくは残コマ数などを示すカウンタ表示に使用される。セグメント２４は、ブラケティング設定を示す表示に使用される。セグメント２５は、ブラケティング設定時のバーグラフ表示などに使用される。セグメント２６は、ＷＢブラケティング設定時の微調整表示などに使用される。セグメント２７は、画像サイズを示す表示に使用される。セグメント２８は、画質モードを示す表示に使用される。
【００１６】
本発明は、上述したＷＢブラケティング撮影のように、電子カメラがレリーズ操作に応じた一連の撮影動作で複数コマの画像を記録媒体１２６に記録する撮影モードに設定された状態で、複数コマの画像を記録する残容量が記録媒体にないとき、当該撮影モードにおける撮影動作を禁止するようにしたものである。ここでは、複数コマの画像を記録する撮影モードとしてＷＢブラケティングを例にあげて説明する。
【００１７】
電子カメラの演算回路１０１で行われるカメラ動作の処理について、図３および図４のフローチャートを参照して説明する。図３、図４によるプログラムは、電子カメラに不図示の電池が装填されると起動して繰り返される。図３のステップＳ１において、演算回路１０１は以下の初期設定を行う。すなわち、ＷＢブラケティングフラグＢに０を、ブラケティング記録回数パラメータｎに３を、ブラケティング補正ステップパラメータＹに１を、画質モードパラメータＱに４を、画像サイズパラメータＳに１を、それぞれセットしてステップＳ２へ進む。
【００１８】
ここで、ＷＢブラケティングフラグＢは、ＷＢブラケティングが設定されると１に、ＷＢブラケティングが解除されると０にセットされるフラグである。初期設定においては、ＷＢブラケティングが解除される。ブラケティング記録回数パラメータｎは、ＷＢブラケティングによる複数回の画像処理（ＷＢ調整処理）のうち、画像処理を行うごとに減算してゆくパラメータである。本実施の形態によるＷＢブラケティングは、ＷＢ調整値を変えて３回画像処理を行うので、ｎは３、２、１のいずれかの値をとる。
【００１９】
ブラケティング補正ステップパラメータＹは、上述したミレッド値の補正ステップを示すパラメータであり、１、２、３のいずれかの値をとる。実際のＷＢ調整で行うミレッド値の補正ステップは、５×Ｙとする。画質モードパラメータＱは、上述した記録画質［1］〜［5］に対応してそれぞれＱ＝５〜１がセットされる。初期設定では、記録画質が「ＴＩＦＦ」に設定される。画像サイズパラメータＳは、上述した記録画素数［1］〜［3］に対応してそれぞれＳ＝１〜３がセットされる。初期設定では、記録画像サイズが「Ｌサイズ」に設定される。
【００２０】
ステップＳ２において、演算回路１０１は、記録媒体１２６（メモリカード）にアクセスしてステップＳ３へ進む。ステップＳ３において、演算回路１０１は、メモリカードが装着されているか否かを判定する。演算回路１０１は、上記アクセスによってメモリカードが検出された場合にステップＳ３を肯定判定してステップＳ４へ進み、メモリカードが検出されなかった場合にステップＳ３を否定判定してステップＳ６へ進む。
【００２１】
ステップＳ４において、演算回路１０１は、フラグＭに１をセットしてステップＳ５へ進む。フラグＭは、メモリカードが装着されている場合に１がセットされ、メモリカードが非装着の場合に０がセットされるフラグである。一方、ステップＳ６において、演算回路１０１は、フラグＭに０をセットしてステップＳ７へ進む。
【００２２】
ステップＳ５において、演算回路１０１は、メモリカードの未記録領域の記録容量（残容量）と、電子カメラに設定されている記録画素数（画像サイズ）および記録画質とによって未記録領域に記録可能なコマ数、すなわち、残コマ数Ｎを算出してステップＳ７へ進む。残コマ数Ｎは、残容量を１画像当たりの画像記録容量で除算して求める。残コマ数Ｎは、記録画素数および記録画質のいずれを変更しても変化する。
【００２３】
ステップＳ７において、演算回路１０１は、設定・表示処理を行ってステップＳ８へ進む。設定・表示処理の詳細については後述する。ステップＳ８において、演算回路１０１は、測光装置１０２から入力される検出信号によって被写体輝度を演算する測光を行い、ステップＳ９へ進む。ステップＳ９において、演算回路１０１は、所定の露出演算処理を行ってステップＳ１０へ進む。
【００２４】
ステップＳ１０において、演算回路１０１は、表示処理を行ってステップＳ１１へ進む。表示処理の詳細については後述する。ステップＳ１１において、演算回路１０１は、焦点検出装置１０３に指令を送り、不図示の撮影レンズによる焦点位置の調節状態を検出させてステップＳ１２へ進む。ステップＳ１２において、演算回路１０１は、焦点検出装置１０３による検出結果に基づいてフォーカスレンズの駆動量を算出し、ステップＳ１３へ進む。ステップＳ１３において、演算回路１０１は、レンズ駆動装置１０４に指令を送り、フォーカスレンズを合焦位置に駆動させてステップＳ１４へ進む。
【００２５】
ステップＳ１４において、演算回路１０１は、フラグＭ＝０か否かを判定する。演算回路１０１は、フラグＭ＝０（メモリカード非装着）の場合にステップＳ１４を肯定判定してステップＳ１８へ進み、フラグＭ＝１（メモリカード装着）の場合にステップＳ１４を否定判定してステップＳ１５へ進む。ステップＳ１５において、演算回路１０１は、ＷＢブラケティングフラグＢ＝０か否かを判定する。演算回路１０１は、フラグＢ＝０（ＷＢブラケティング解除）の場合にステップＳ１５を肯定判定してステップＳ１６へ進み、フラグＢ＝１（ＷＢブラケティング設定）の場合にステップＳ１５を否定判定してステップＳ１７へ進む。
【００２６】
ステップＳ１６において、演算回路１０１は、残コマ数Ｎが０か否かを判定する。演算回路１０１は、Ｎ＝０の場合にステップＳ１６を肯定判定してステップＳ２へ戻る。この結果、残コマ数Ｎが０の場合にレリーズ判定に進まないから撮影動作が禁止される。一方、演算回路１０１は、Ｎ≠０の場合にステップＳ１６を否定判定してステップＳ１８へ進む。この結果、ＷＢブラケティングが解除され、かつ残コマ数Ｎが０でない場合に、レリーズ判定に進んで撮影動作が許可される。
【００２７】
ステップＳ１７において、演算回路１０１は、残コマ数Ｎとブラケティング記録回数パラメータｎとの間にＮ≧ｎが成立するか否かを判定する。演算回路１０１は、Ｎ≧ｎが成立する場合にステップＳ１７を肯定判定してステップＳ１８へ進む。この結果、ＷＢブラケティングが設定され、かつ残コマ数Ｎがブラケティング記録回数（コマ数）ｎ以上である場合に、レリーズ判定に進むので撮影動作が許可される。一方、演算回路１０１は、Ｎ≧ｎが成立しない場合にステップＳ１７を否定判定し、ステップＳ２へ戻る。この結果、ＷＢブラケティングが設定され、かつ残コマ数Ｎがブラケティング記録回数（コマ数）ｎ未満である場合に、レリーズ判定に進まないから撮影動作が禁止される。
【００２８】
ステップＳ１８において、演算回路１０１は、レリーズスイッチ１１４が操作されたか否かを判定する。演算回路１０１は、レリーズスイッチ１１４から操作信号が入力された場合にステップＳ１８を肯定判定して図４のステップＳ１９へ進み、レリーズスイッチ１１４から操作信号が入力されない場合にステップＳ１８を否定判定してステップＳ２へ戻る。
【００２９】
図４のステップＳ１９において、演算回路１０１は、露出制御を行ってステップＳ２０へ進む。具体的には、シャッタ制御回路１０５に指令を出力し、シャッタ１０６の不図示のマグネットに通電して先幕および後幕を保持させる。演算回路１０１はさらに、モータ制御回路１０７に指令を出力してシーケンスモータ１０８に正転を開始させる。これにより、不図示のミラーのミラーアップおよび絞りの絞り込みが開始される。演算回路１０１は、絞り位置検出装置１１０から入力される検出信号によるパルス数Ｐｋをカウントし、制御絞り値ＡＶｃに対応するパルス数Ｐｃとの間にＰｋ≧Ｐｃが成立するか否かを判定する。ここで、制御絞り値ＡＶｃは、ステップＳ９の露出演算処理で得られるものである。演算回路１０１は、Ｐｋ≧Ｐｃが成立するまで判定処理を繰り返し、Ｐｋ≧Ｐｃが成立すると絞り係止装置１１１に絞りを係止させる。
【００３０】
演算回路１０１は、シーケンススイッチ１０９からオン信号が入力されるとミラーアップが終了したとみなし、モータ制御回路１０７に指令を出力してシーケンスモータ１０８の正転を停止させる。演算回路１０１は、時間ｔｓの計時を開始するとともに、シャッタ制御回路１０５に指令を出力し、シャッタ１０６の不図示のマグネットへの通電を解除して先幕保持を解除させる。これにより、シャッタ先幕の走行が開始される。演算回路１０１は、タイミング回路１２４に駆動信号の発生を開始させて撮像装置１２１の駆動を開始し、撮像装置１２１に電荷蓄積を開始させる。
【００３１】
演算回路１０１は、計時時間ｔｓと制御シャッタ速度時間Ｔｃとの間にｔｓ≧Ｔｃが成立するとシャッタ制御回路１０５に指令を出力し、シャッタ１０６の不図示のマグネットへの通電を解除して後幕保持を解除させる。ここで、制御シャッタ速度時間Ｔｃは、ステップＳ９の露出演算処理で得られるものである。演算回路１０１は、シャッタ後幕が走行して撮像装置１２１の撮像領域を遮光すると、タイミング回路１２４による撮像装置１２１の駆動を停止させる。この結果、撮像装置１２１は電荷蓄積を終了する。演算回路１０１は、モータ制御回路１０７に指令を出力し、シーケンスモータ１０８に逆転を開始させる。これにより、不図示のミラーのミラーダウンおよび絞りの開放復帰が開始される。
【００３２】
ステップＳ２０において、演算回路１０１は、フラグＭ＝０か否かを判定する。演算回路１０１は、フラグＭ＝０（メモリカード非装着）の場合にステップＳ２０を肯定判定してステップＳ２へ戻る。この場合には、画像データの記録がスキップされる。演算回路１０１は、フラグＭ＝１（メモリカード装着）の場合にステップＳ２０を否定判定してステップＳ２１へ進む。ステップＳ２１において、演算回路１０１は、タイミング回路１２４に指令を出力し、撮像装置１２１から画像信号の読み出しを開始させ、ステップＳ２２へ進む。これにより、撮像装置１２１から蓄積電荷による画像信号が出力され、Ａ／Ｄ変換回路１２２でデジタルデータに変換される。
【００３３】
ステップＳ２２において、演算回路１０１は、画質モードパラメータＱが５か否かを判定する。演算回路１０１は、パラメータＱ＝５の場合にステップＳ２２を肯定判定してステップＳ２７へ進む。この場合は、画像データに画像処理を施さずに記録する「ＲＡＷ」、すなわち、上記記録画質［1］が設定されている場合である。一方、演算回路１０１は、パラメータＱ≠５の場合にステップＳ２２を否定判定してステップＳ２３へ進む。この場合は、画像処理を施した画像データを記録する記録画質［2］〜［5］のいずれかの場合である。
【００３４】
ステップＳ２３において、演算回路１０１は、ＷＢブラケティングフラグＢ＝０か否かを判定する。演算回路１０１は、フラグＢ＝０（ＷＢブラケティング解除）の場合にステップＳ２３を肯定判定してステップＳ２４へ進み、フラグＢ＝１（ＷＢブラケティング設定）の場合にステップＳ２３を否定判定してステップＳ２９へ進む。
【００３５】
ステップＳ２４において、演算回路１０１は、デジタル画像信号を画像処理回路１２３へ送り、画像処理を指示してステップＳ２５へ進む。ステップＳ２５において、演算回路１０１は、画質モードパラメータＱが４か否かを判定する。演算回路１０１は、パラメータＱ＝４の場合にステップＳ２５を肯定判定してステップＳ２７へ進み、パラメータＱ＝１〜３の場合にステップＳ２５を否定判定してステップＳ２６へ進む。ステップＳ２７に進む場合は、画像データに圧縮処理を施さずに記録する「ＴＩＦＦ」、すなわち、上記記録画質［2］が設定されている場合である。ステップＳ２６に進む場合は、画像データに圧縮処理を施して記録する記録画質［3］〜［5］のいずれかに設定されている場合である。
【００３６】
ステップＳ２６において、演算回路１０１は、画像処理回路１２３に圧縮処理を指示してステップＳ２７へ進む。ステップＳ２７において、演算回路１０１は、画像データを記録媒体１２６（メモリカード）に記録してステップＳ２８へ進む。ここで、演算回路１０１は、シーケンススイッチ１０９からオン信号が入力されるとミラーダウンが終了したとみなし、モータ制御回路１０７に指令を出力してシーケンスモータ１０８の逆転を停止させる。
【００３７】
ステップＳ２８において、演算回路１０１は、ＷＢブラケティングフラグＢ＝０か否かを判定する。演算回路１０１は、フラグＢ＝０（ＷＢブラケティング解除）の場合にステップＳ２８を肯定判定してステップＳ２へ戻り、フラグＢ＝１（ＷＢブラケティング設定）の場合にステップＳ２８を否定判定してステップＳ３０へ進む。ステップＳ２へ戻る場合は、一連の撮影処理が終了した場合である。
【００３８】
上述したステップＳ２３を否定判定して進むステップＳ２９において、演算回路１０１は、ブラケティング記録回数パラメータｎ＝３か否かを判定する。演算回路１０１は、パラメータｎ＝３の場合にステップＳ２９を肯定判定してステップＳ２４へ進み、パラメータｎ≠３の場合にステップＳ２９を否定判定してステップＳ３３へ進む。ステップＳ２４へ進む場合は、ＷＢブラケティング設定時の１画像目の画像処理を行う場合である。
【００３９】
上述したステップＳ２８を否定判定して進むステップＳ３０において、演算回路１０１は、ブラケティング記録回数パラメータｎから１を減じてステップＳ３１へ進む。ステップＳ３１において、演算回路１０１は、ブラケティング記録回数パラメータｎ＝０か否かを判定する。演算回路１０１は、パラメータｎ＝０の場合にステップＳ３１を肯定判定してステップＳ３２へ進む。この場合は、ＷＢブラケティング設定時に３画像の画像処理が終了している場合である。一方、演算回路１０１は、パラメータｎ≠０の場合にステップＳ３１を否定判定してステップＳ３３へ進む。ステップＳ３３へ進む場合は、ＷＢブラケティング設定時に２画像目もしくは３画像目の画像処理を行う場合である。ステップＳ３２において、演算回路１０１は、ブラケティング記録回数パラメータｎを初期値３に戻してステップＳ２へ戻る。これにより、ＷＢブラケティングによる一連の撮影処理が終了する。
【００４０】
ステップＳ３３において、演算回路１０１は、ブラケティング記録回数パラメータｎ＝２か否かを判定する。演算回路１０１は、パラメータｎ＝２の場合にステップＳ３３を肯定判定してステップＳ３４へ進み、パラメータｎ＝１の場合にステップＳ３３を否定判定してステップＳ３５へ進む。ステップＳ３４において、演算回路１０１は、画像処理回路１２３に指令を出力し、ミレッド値を基準値から−方向に５×Ｙミレッド下げた画像処理を指示し、ステップＳ２５へ進む。これにより、ＷＢの基準色温度を低くした画像処理が行われる。
【００４１】
ステップＳ３５において、演算回路１０１は、画像処理回路１２３に指令を出力し、ミレッド値を基準値から＋方向に５×Ｙ上げた画像処理を指示し、ステップＳ２５へ進む。これにより、ＷＢの基準色温度を高くした画像処理が行われる。
【００４２】
設定・表示処理の詳細について、図５および図６のフローチャートを参照して説明する。図５のステップＳ１０１において、演算回路１０１は、ＷＢブラケティング設定操作部材１１３を構成するＷＢブラケティングボタンが押下されているか否かを判定する。演算回路１０１は、ＷＢブラケティングボタンから操作信号が入力されている場合にステップＳ１０１を肯定判定してステップＳ１０２へ進み、操作信号が入力されていない場合にステップＳ１０１を否定判定してステップＳ１１５へ進む。
【００４３】
ステップＳ１０２において、演算回路１０１は、メインコマンドダイヤルが回転操作されたか否かを判定する。演算回路１０１は、メインコマンドダイヤルから回転操作信号が入力されるとステップＳ１０２を肯定判定してステップＳ１０３へ進み、回転操作信号が入力されない場合にステップＳ１０２を否定判定してステップＳ１０６へ進む。ステップＳ１０３において、演算回路１０１は、ＷＢブラケティングフラグＢ＝０か否かを判定する。演算回路１０１は、フラグＢ＝０（ＷＢブラケティングが解除）の場合にステップＳ１０３を肯定判定してステップＳ１０４へ進み、フラグＢ＝１（ＷＢブラケティングが設定）の場合にステップＳ１０３を否定判定してステップＳ１０５へ進む。
【００４４】
ステップＳ１０４において、演算回路１０１は、ＷＢブラケティングを設定するとともに、ＷＢブラケティングフラグＢに１をセットして図６のステップＳ１１６へ進む。ステップＳ１０５において、演算回路１０１は、ＷＢブラケティングを解除するとともに、ＷＢブラケティングフラグＢに０をセットして図６のステップＳ１１６へ進む。
【００４５】
ステップＳ１０６において、演算回路１０１は、サブコマンドダイヤルがアップ回転操作されたか否かを判定する。演算回路１０１は、サブコマンドダイヤルからアップ回転を示す操作信号が入力されるとステップＳ１０６を肯定判定してステップＳ１０７へ進み、アップ回転を示す操作信号が入力されない場合にステップＳ１０６を否定判定してステップＳ１１０へ進む。アップ回転は、たとえば、時計回り方向の回転とする。ステップＳ１０７において、演算回路１０１は、ブラケティング補正ステップパラメータＹ＝３か否かを判定する。演算回路１０１は、パラメータＹ＝３の場合にステップＳ１０７を肯定判定してステップＳ１０９へ進み、Ｙ≠３の場合にステップＳ１０７を否定判定してステップＳ１０８へ進む。
【００４６】
ステップＳ１０８において、演算回路１０１は、ブラケティング補正ステップパラメータＹに１を加えて図６のステップＳ１１６へ進む。ステップＳ１０９において、演算回路１０１は、ブラケティング補正ステップパラメータＹに１をセットして図６のステップＳ１１６へ進む。アップ回転操作によってパラメータＹ＝３の次にＹ＝１がセットされるので、パラメータＹをサイクリックに変更できる。
【００４７】
ステップＳ１１０において、演算回路１０１は、サブコマンドダイヤルがダウン回転操作されたか否かを判定する。演算回路１０１は、サブコマンドダイヤルからダウン回転を示す操作信号が入力されるとステップＳ１１０を肯定判定してステップＳ１１１へ進み、ダウン回転を示す操作信号が入力されない場合にステップＳ１１０を否定判定して図６のステップＳ１１６へ進む。ダウン回転は、たとえば、反時計回り方向の回転とする。ステップＳ１１１において、演算回路１０１は、ブラケティング補正ステップパラメータＹ＝１か否かを判定する。演算回路１０１は、パラメータＹ＝１の場合にステップＳ１１１を肯定判定してステップＳ１１３へ進み、パラメータＹ≠１の場合にステップＳ１１１を否定判定してステップＳ１１２へ進む。
【００４８】
ステップＳ１１２において、演算回路１０１は、ブラケティング補正ステップパラメータＹから１を減じて図６のステップＳ１１６へ進む。ステップＳ１１３において、演算回路１０１は、ブラケティング補正ステップパラメータＹに３をセットして図６のステップＳ１１６へ進む。ダウン回転操作によってパラメータＹ＝１の次にＹ＝３がセットされるので、パラメータＹをサイクリックに変更できる。
【００４９】
上述したステップＳ１０１を否定判定して進むステップＳ１１５において、演算回路１０１は、その他の機能の設定および表示のための処理を行って図５による処理を終了し、図３のステップＳ８へ進む。その他の機能には、記録画質の選択、および画像サイズの選択が含まれる。演算回路１０１は、画質モード選択操作部材１１５もしくは画像サイズ選択操作部材１１６から操作信号が入力された場合に、記録画質もしくは記録画素数の設定処理をそれぞれ行う。これらの設定処理の詳細についての説明は省略する。
【００５０】
図６のステップＳ１１６において、演算回路１０１は、表示装置１２のセグメント２１（図２）に記録コマ数を、セグメント２２に補正ステップを、それぞれ点灯表示させてステップＳ１１７へ進む。ステップＳ１１７において、演算回路１０１は、残コマ数Ｎ≧３か否かを判定する。演算回路１０１は、Ｎ≧３が成立する場合にステップＳ１１７を肯定判定してステップＳ１１８へ進み、Ｎ≧３が成立しない場合にステップＳ１１７を否定判定してステップＳ１２２へ進む。
【００５１】
ステップＳ１１８において、演算回路１０１は、表示装置１２のセグメント２５にバーグラフを点灯表示させてステップＳ１１９へ進む。ステップＳ１１９において、演算回路１０１は、ＷＢブラケティングフラグＢ＝１か否かを判定する。演算回路１０１は、フラグＢ＝１（ＷＢブラケティング設定）の場合にステップＳ１１９を肯定判定してステップＳ１２０へ進み、フラグＢ＝０（ＷＢブラケティング解除）の場合にステップＳ１１９を否定判定してステップＳ１２１へ進む。
【００５２】
ステップＳ１２０において、演算回路１０１は、表示装置１２のセグメント２４にブラケティング設定を示す「ＢＫＴ」マークを点灯表示させるとともに、セグメント２６に微調整マークを点滅表示させてステップＳ１２１へ進む。図７は、ステップＳ１１８〜ステップＳ１２０を経て表示装置１２に表示された画面の例を示す図である。図７において、セグメント２１によってブラケティング時に記録されるコマ数「３Ｆ」が、セグメント２２によって補正ステップ「１」が、セグメント２４によって「ＢＫＴ」マークが、セグメント２５Ｌ、２５Ｃおよび２５Ｒによってバーグラフがそれぞれ点灯表示され、セグメント２６によって微調整マークが点滅表示される。なお、「”」は点滅表示を示す。補正ステップ「１」は、ブラケティング補正ステップパラメータＹの値に応じて変化する。セグメント２５を構成するセグメント２５Ｌ、２５Ｃおよび２５Ｒを全て点灯させることで、ＷＢブラケティングによる３つの画像の全てをメモリカードに記録可能であることを示す。
【００５３】
上述したステップＳ１１７を否定判定して進むステップＳ１２２において、演算回路１０１は、残コマ数Ｎ＝０か否かを判定する。演算回路１０１は、Ｎ＝０の場合にステップＳ１２２を肯定判定してステップＳ１２３へ進み、Ｎ＝１または２の場合にステップＳ１２２を否定判定してステップＳ１２４へ進む。ステップＳ１２３において、演算回路１０１は、表示装置１２のセグメント２５にバーグラフを点滅表示させてステップＳ１１９へ進む。図８は、ステップＳ１２３、ステップＳ１１９およびステップＳ１２０を経て表示装置１２に表示された画面の例を示す図である。図８において、セグメント２１によってコマ数「３Ｆ」が、セグメント２２によって補正ステップ「１」が、セグメント２４によって「ＢＫＴ」マークがそれぞれ点灯表示され、セグメント２５Ｌ、２５Ｃおよび２５Ｒによってバーグラフが、セグメント２６によって微調整マークがそれぞれ点滅表示される。セグメント２５を構成するセグメント２５Ｌ、２５Ｃおよび２５Ｒを全て点滅させることで、ＷＢブラケティングによる３つの画像の全てがメモリカードに記録不可であることを示す。
【００５４】
ステップＳ１２４において、演算回路１０１は、残コマ数Ｎ＝１か否かを判定する。演算回路１０１は、Ｎ＝１の場合にステップＳ１２４を肯定判定してステップＳ１２５へ進み、Ｎ＝２の場合にステップＳ１２４を否定判定してステップＳ１２６へ進む。ステップＳ１２５において、演算回路１０１は、表示装置１２のセグメント２５のバーグラフの中央を点灯表示させるとともに、バーグラフの左右を点滅表示させてステップＳ１１９へ進む。図９は、ステップＳ１２５、ステップＳ１１９およびステップＳ１２０を経て表示装置１２に表示された画面の例を示す図である。図９において、セグメント２１によってコマ数「３Ｆ」が、セグメント２２によって補正ステップ「１」が、セグメント２４によって「ＢＫＴ」マークが、セグメント２５Ｃによってバーグラフ中央が、それぞれ点灯表示され、セグメント２５Ｌおよび２５Ｒによってバーグラフ左右が、セグメント２６によって微調整マークが、それぞれ点滅表示される。セグメント２５を構成するセグメント２５Ｌ、２５Ｃおよび２５Ｒのうち１つ（上記の例では２５Ｃ）を点灯させることで、ＷＢブラケティングによる３つの画像のうち１画像だけがメモリカードに記録可能であることを示す。
【００５５】
ステップＳ１２６において、演算回路１０１は、表示装置１２のセグメント２５のバーグラフの中央および右を点灯表示させるとともに、バーグラフの左を点滅表示させてステップＳ１１９へ進む。図１０は、ステップＳ１２６、ステップＳ１１９およびステップＳ１２０を経て表示装置１２に表示された画面の例を示す図である。図１０において、セグメント２１によってコマ数「３Ｆ」が、セグメント２２によって補正ステップ「１」が、セグメント２４によって「ＢＫＴ」マークが、セグメント２５Ｃおよびセグメント２５Ｒによってバーグラフ中央およびバーグラフ右が、それぞれ点灯表示され、セグメント２５Ｌによってバーグラフ左が、セグメント２６によって微調整マークが、それぞれ点滅表示される。セグメント２５を構成するセグメント２５Ｌ、２５Ｃおよび２５Ｒのうち２つ（上記の例では２５Ｃ、２５Ｒ）を点灯させることで、ＷＢブラケティングによる３つの画像のうち２画像だけがメモリカードに記録可能であることを示す。
【００５６】
図１１は、ステップＳ１２３、ステップＳ１１９を経て表示装置１２に表示された画面の例を示す図である。図１１において、セグメント２１によってコマ数「３Ｆ」が、セグメント２２によって補正ステップ「１」が、それぞれ点灯表示され、セグメント２５Ｌ、２５Ｃおよび２５Ｒによってバーグラフがそれぞれ点滅表示される。この場合には、ＷＢブラケティングが解除されているので、「ＢＫＴ」マークおよび微調整マークは点灯されない。
【００５７】
ステップＳ１２１において、演算回路１０１は、ＷＢブラケティング設定操作部材１１３を構成するＷＢブラケティングボタンが押下されているか否かを判定する。演算回路１０１は、ＷＢブラケティングボタンから操作信号が入力されている場合にステップＳ１２１を肯定判定して図５のステップＳ１０２へ戻り、操作信号が入力されていない場合にステップＳ１２１を否定判定して図６による処理を終了し、図３のステップＳ８へ進む。
【００５８】
表示処理の詳細について、図１２、図１３のフローチャートを参照して説明する。ステップＳ２０１において、演算回路１０１は、ＷＢブラケティングフラグＢ＝０か否かを判定する。演算回路１０１は、フラグＢ＝０（ＷＢブラケティング解除）の場合にステップＳ２０１を肯定判定してステップＳ２０２へ進み、フラグＢ＝１（ＷＢブラケティング設定）の場合にステップＳ２０１を否定判定し、図１３のステップＳ２０７へ進む。
【００５９】
ステップＳ２０２において、演算回路１０１は、フラグＭ＝１か否かを判定する。演算回路１０１は、フラグＭ＝１（メモリカード装着）の場合にステップＳ２０２を肯定判定してステップＳ２０３へ進み、フラグＭ＝０（メモリカード非装着）の場合にステップＳ２０２を否定判定してステップＳ２０６へ進む。ステップＳ２０３において、演算回路１０１は、残コマ数Ｎ＞０か否かを判定する。演算回路１０１は、残コマ数Ｎが０より大の場合にステップＳ２０３を肯定判定してステップＳ２０４へ進み、残コマ数Ｎが０の場合にステップＳ２０３を否定判定してステップＳ２０５へ進む。
【００６０】
ステップＳ２０４において、演算回路１０１は、残コマ数Ｎの値、シャッタ速度および絞り値を示す値と、画質モード（記録画質）および画像サイズ（記録画素数）を示すマークなどの表示をそれぞれ表示装置１１２に点灯表示させて図１２による処理を終了し、図３のステップＳ１１へ進む。図１４は、表示装置１２に表示される画面の例を示す図である。図１４において、セグメント２１によってシャッタ速度を示す「４０００」が、セグメント２２によって絞り値を示す「Ｆ５．６」が、セグメント２３によって残コマ数Ｎを示す「１０」が、セグメント２７によって画像サイズを示す「Ｌ」が、セグメント２８によって画質モードを示す「ＲＡＷ」が、それぞれ点灯表示される。
【００６１】
ステップＳ２０５において、演算回路１０１は、残コマ数０およびメモリカードが記録データでいっぱいであることを示す「ＦｕＬＬ」、画質モード（記録画質）および画像サイズ（記録画素数）を示すマークなどの表示をそれぞれ表示装置１１２に点灯表示させて図１２による処理を終了し、図３のステップＳ１１へ進む。図１５は、表示装置１２に表示される画面の例を示す図である。図１５において、セグメント２１によって「ＦｕＬＬ」が、セグメント２３によって残コマ数０を示す「０」が、セグメント２７によって画像サイズを示す「Ｌ」が、セグメント２８によって画質モードを示す「ＲＡＷ」が、それぞれ点灯表示される。
【００６２】
ステップＳ２０６において、演算回路１０１は、メモリカード非装着を示す「−Ｅ−」、シャッタ速度および絞り値を示す値、画質モード（記録画質）および画像サイズ（記録画素数）を示すマークなどの表示をそれぞれ表示装置１１２に点灯表示させて図１２による処理を終了し、図３のステップＳ１１へ進む。図１６は、表示装置１２に表示される画面の例を示す図である。図１６において、セグメント２１によってシャッタ速度を示す「４０００」が、セグメント２２によって絞り値を示す「Ｆ５．６」が、セグメント２３によって「−Ｅ−」が、セグメント２７によって画像サイズを示す「Ｌ」が、セグメント２８によって画質モードを示す「ＲＡＷ」が、それぞれ点灯表示される。
【００６３】
図１３のステップＳ２０７において、演算回路１０１は、フラグＭ＝１か否かを判定する。演算回路１０１は、フラグＭ＝１（メモリカード装着）の場合にステップＳ２０７を肯定判定してステップＳ２０８へ進み、フラグＭ＝０（メモリカード非装着）の場合にステップＳ２０７を否定判定してステップＳ２１２へ進む。ステップＳ２０８において、演算回路１０１は、残コマ数Ｎとブラケティング記録回数パラメータｎとの間にＮ≧ｎが成立するか否かを判定する。演算回路１０１は、Ｎ≧ｎが成立する場合にステップＳ２０８を肯定判定してステップＳ２０９へ進み、Ｎ≧ｎが成立しない場合にステップＳ２０８を否定判定してステップＳ２１３へ進む。
【００６４】
ステップＳ２０９において、演算回路１０１は、表示装置１２に残コマ数Ｎを点灯表示させてステップＳ２１０へ進む。一方、ステップＳ２１２において、演算回路１０１は、メモリカード非装着を示す「−Ｅ−」を表示装置１１２に点灯表示させてステップＳ２１０へ進む。ステップＳ２１０において、演算回路１０１は、シャッタ速度および絞り値を示す値と、画質モード（記録画質）および画像サイズ（記録画素数）を示すマークなどの表示と、「ＢＫＴ」マークと、バーグラフとをそれぞれ表示装置１１２に点灯表示させてステップＳ２１１へ進む。ステップＳ２１１において、演算回路１０１は、微調整マークを表示装置１２に点滅表示させて図１３による処理を終了し、図３のステップＳ１１へ進む。
【００６５】
図１７は、表示装置１２に表示される画面の例を示す図である。図１７において、セグメント２１によってシャッタ速度を示す「１２５」が、セグメント２２によって絞り値を示す「Ｆ５．６」が、セグメント２３によって残コマ数Ｎを示す「３５」が、セグメント２７によって画像サイズを示す「Ｍ」が、セグメント２８によって画質モードを示す「ＦＩＮＥ」が、セグメント２４によって「ＢＫＴ」マークが、セグメント２５Ｌ、２５Ｃおよび２５Ｒによってバーグラフが、それぞれ点灯表示される。また、セグメント２６によって微調整マークが点滅表示される。上述したように、「”」は点滅表示されることを示す。セグメント２５を構成するセグメント２５Ｌ、２５Ｃおよび２５Ｒを全て点灯させることで、ＷＢブラケティングによる３つの画像の全てをメモリカードに記録可能であることを示す。
【００６６】
ステップＳ２１３において、演算回路１０１は、残コマ数Ｎ＝２か否かを判定する。演算回路１０１は、Ｎ＝２の場合にステップＳ２１３を肯定判定してステップＳ２１４へ進み、Ｎ＝１もしくは０の場合にステップＳ２１３を否定判定してステップＳ２１６へ進む。
【００６７】
ステップＳ２１４において、演算回路１０１は、メモリカードが記録データでいっぱいであることを示す「ＦｕＬＬ」と、画質モード（記録画質）および画像サイズ（記録画素数）を示すマークなどの表示と、「ＢＫＴ」マークと、バーグラフ中央およびバーグラフ右とを表示装置１１２にそれぞれ点灯表示させてステップＳ２１５へ進む。ステップＳ２１５において、演算回路１０１は、残コマ数Ｎと、バーグラフ左と、微調整マークとを表示装置１２にそれぞれ点滅表示させて図１３による処理を終了し、図３のステップＳ１１へ進む。
【００６８】
図１８は、表示装置１２に表示される画面の例を示す図である。図１８において、セグメント２１によって「ＦｕＬＬ」が、セグメント２７によって画像サイズを示す「Ｍ」が、セグメント２８によって画質モードを示す「ＦＩＮＥ」が、セグメント２４によって「ＢＫＴ」マークが、セグメント２５Ｃおよび２５Ｒによってバーグラフ中央およびバーグラフ右が、それぞれ点灯表示される。また、セグメント２３によって残コマ数Ｎを示す「２」が、セグメント２５Ｌによってバーグラフ左が、セグメント２６によって微調整マークが、それぞれ点滅表示される。セグメント２５を構成するセグメント２５Ｌ、２５Ｃおよび２５Ｒのうち２つを点灯させることで、ＷＢブラケティングによる３つの画像のうち２画像だけがメモリカードに記録可能であることを示す。
【００６９】
ステップＳ２１６において、演算回路１０１は、残コマ数Ｎ＝１か否かを判定する。演算回路１０１は、Ｎ＝１の場合にステップＳ２１６を肯定判定してステップＳ２１７へ進み、Ｎ＝０の場合にステップＳ２１６を否定判定してステップＳ２１９へ進む。
【００７０】
ステップＳ２１７において、演算回路１０１は、メモリカードが記録データでいっぱいであることを示す「ＦｕＬＬ」と、画質モード（記録画質）および画像サイズ（記録画素数）を示すマークなどの表示と、「ＢＫＴ」マークと、バーグラフ中央とを表示装置１１２にそれぞれ点灯表示させてステップＳ２１８へ進む。ステップＳ２１８において、演算回路１０１は、残コマ数Ｎと、バーグラフ左右と、微調整マークとを表示装置１２にそれぞれ点滅表示させて図１３による処理を終了し、図３のステップＳ１１へ進む。
【００７１】
図１９は、表示装置１２に表示される画面の例を示す図である。図１９において、セグメント２１によって「ＦｕＬＬ」が、セグメント２７によって画像サイズを示す「Ｍ」が、セグメント２８によって画質モードを示す「ＦＩＮＥ」が、セグメント２４によって「ＢＫＴ」マークが、セグメント２５Ｃによってバーグラフ中央が、それぞれ点灯表示される。また、セグメント２３によって残コマ数Ｎを示す「１」が、セグメント２５Ｌによってバーグラフ左が、セグメント２５Ｒによってバーグラフ右が、セグメント２６によって微調整マークが、それぞれ点滅表示される。セグメント２５を構成するセグメント２５Ｌ、２５Ｃおよび２５Ｒのうち１つを点灯させることで、ＷＢブラケティングによる３つの画像のうち１画像だけがメモリカードに記録可能であることを示す。
【００７２】
ステップＳ２１９において、演算回路１０１は、メモリカードが記録データでいっぱいであることを示す「ＦｕＬＬ」と、画質モード（記録画質）および画像サイズ（記録画素数）を示すマークなどの表示と、「ＢＫＴ」マークとを表示装置１１２にそれぞれ点灯表示させてステップＳ２２０へ進む。ステップＳ２２０において、演算回路１０１は、残コマ数Ｎと、バーグラフと、微調整マークとを表示装置１２にそれぞれ点滅表示させて図１３による処理を終了し、図３のステップＳ１１へ進む。
【００７３】
図２０は、表示装置１２に表示される画面の例を示す図である。図２０において、セグメント２１によって「ＦｕＬＬ」が、セグメント２７によって画像サイズを示す「Ｍ」が、セグメント２８によって画質モードを示す「ＦＩＮＥ」が、セグメント２４によって「ＢＫＴ」マークが、それぞれ点灯表示される。また、セグメント２３によって残コマ数Ｎを示す「０」が、セグメント２５Ｌによってバーグラフ左が、セグメント２５Ｒによってバーグラフ右が、セグメント２５Ｃによってバーグラフ中央が、セグメント２６によって微調整マークが、それぞれ点滅表示される。セグメント２５を構成するセグメント２５Ｌ、２５Ｃおよび２５Ｒの全てを点滅させることで、ＷＢブラケティングによる３つの画像の全てがメモリカードに記録不可であることを示す。
【００７４】
以上説明した実施の形態による電子カメラでは、次の作用効果が得られる。
（１）電子カメラにＷＢブラケティングが設定されている（ステップＳ１５を否定判定）状態で、メモリカードに記録可能な残コマ数Ｎとブラケティング記録回数パラメータｎとの間にＮ≧ｎが成立する場合に撮影動作を許可（ステップＳ１７を肯定判定）するようにした。この結果、ＷＢブラケティングによって３通りのＷＢ調整値でそれぞれ画像処理される３コマの画像データを、メモリカードに全て記録することができる。
（２）電子カメラにＷＢブラケティングが設定されている（ステップＳ１５を否定判定）状態で、残コマ数Ｎとブラケティング記録回数パラメータｎとの間にＮ≧ｎが成立しない場合に撮影動作を禁止（ステップＳ１７を否定判定）するようにした。この結果、ＷＢブラケティングによって得られる３コマの画像データのいずれかが、メモリカードの残容量不足によって記録不可にされることが防止される。
（３）表示装置１２の表示に関して、電子カメラにＷＢブラケティングが設定されている（ステップＳ２０１を否定判定）状態で、残コマ数Ｎとブラケティング記録回数パラメータｎとの間にＮ≧ｎが成立する場合に、シャッタ速度や絞り値などの撮影条件とともに「ＢＫＴ」マークおよびバーコードを点灯表示し、微調整マークを点滅表示するようにした（図１７）。これにより、ＷＢブラケティングが設定されていることを撮影者にわかりやすく報知できる。
（４）表示装置１２の表示に関して、電子カメラにＷＢブラケティングが設定されている（ステップＳ２０１を否定判定）状態で、残コマ数Ｎとブラケティング記録回数パラメータｎとの間にＮ≧ｎが成立しない場合に、撮影条件に代えて「ＦｕＬＬ」を点灯表示し、残コマ数Ｎを点滅表示する（図１８、図１９、図２０）。この結果、メモリカードの残容量の不足に起因して撮影動作が禁止されたことを撮影者にわかりやすく報知できる。さらに、バーコードを構成する３つのセグメント２５Ｌ、２５Ｃ、および２５Ｒの表示形態について、点灯表示するセグメントと点滅表示するセグメントの数を残コマ数Ｎに応じて変えるようにした。これにより、メモリカードの残容量が何コマ分不足するかをバーコードの表示形態によってわかりやすく報知できる。
（５）ＷＢブラケティング設定操作中の表示装置１２の表示に関して、上記（３）と同様にバーコードの表示形態を変えるようにしたので、ＷＢブラケティング設定操作中の表示画面（図７〜図１１）のように残コマ数Ｎの表示を行わない場合でも、メモリカードの残容量が足りている（図７）か、メモリカードの残容量が何コマ分不足している（図８〜図１１）かを撮影者にわかりやすく報知できる。
【００７５】
以上説明したＷＢブラケティングの撮影モードでは、レリーズ操作されるとＷＢ調整値が異なる３コマの画像が記録媒体１２６（メモリカード）にそれぞれ記録されるようにした。記録画像数は、上述した３コマに限らなくてもよい。たとえば、２コマであってもよく、５コマであってもよい。
【００７６】
レリーズ操作されると複数コマの画像が記録媒体１２６（メモリカード）に記録される撮影モードとしてＷＢブラケティングを例にあげて説明したが、ＡＥブラケティングにも本発明を適用することができる。ＡＥブラケティングは、撮影時の露出値（ＥＶ）を段階的に変化させ、それぞれ異なる露出値で複数コマの撮影を行うものである。これら複数コマの画像が記録媒体１２６（メモリカード）にそれぞれ記録される。記録画像数は、ＷＢブラケティングと同様に、３コマに限らず適宜設定してよい。
【００７７】
また、レリーズ操作に応じて複数コマの画像を記録する他の撮影モードとして、調光ブラケティングに本発明を適用してもよい。調光ブラケティングは、撮影時に被写体を照明する閃光装置の発光量を段階的に変化させ、それぞれ異なる発光量で複数コマの撮影を行うものである。これら複数コマの画像が記録媒体１２６（メモリカード）にそれぞれ記録される。記録画像数は、３コマに限らず適宜設定してよい。
【００７８】
撮影時の露出値および閃光装置の発光量を段階的に変化させ、それぞれ異なる露出値および発光量で複数コマの撮影を行い、これら複数コマの画像を記録媒体１２６（メモリカード）にそれぞれ記録するＡＥ調光ブラケティングに本発明を適用してもよい。
【００７９】
また、オートシフトに本発明を適用してもよい。オートシフトは、撮影時の露出を固定しつつシャッタ速度と絞り値の組み合わせを変更して複数コマの撮影を行うものである。これら複数コマの画像が記録媒体１２６（メモリカード）に記録される。
【００８０】
さらにまた、レリーズ操作に応じて複数コマの画像を記録する他の撮影モードとして、連写撮影モードにも本発明を適用することができる。
【００８１】
以上の説明では、残コマ数Ｎとブラケティング記録回数パラメータｎとの間にＮ≧ｎが成立しない場合に、残容量不足を報知するために表示装置１１２に「ＦｕＬＬ」を点灯表示するとともに、残コマ数Ｎを点滅表示する（図１８、図１９、図２０）ようにした。このような報知形態の他に、たとえば、電子音などを発して撮影者に報知したり、ＬＥＤを点灯して撮影者に報知するようにしてもよい。
【００８２】
上述した説明において、ＷＢブラケティングの設定および解除はＷＢブラケティング設定操作部材１１３の操作によって行われるようにしたが、演算回路１０１が自動的に切換えてもよい。たとえば、画像データに画像処理を施さずに記録する上記記録画質［1］「ＲＡＷ」が設定された場合に、ＷＢブラケティングを解除する。
【００８３】
上述した図６のフローチャートにおいて、次のように変形してもよい。すなわち、演算回路１０１は、ステップＳ１１７において残コマ数Ｎ≧３か否かを判定し、Ｎ≧３が成立しない場合にステップＳ１１７を否定判定してステップＳ１２３へ進む。Ｎ≧３が成立する場合は上述した通りである。
【００８４】
ステップＳ１２３において、演算回路１０１は、表示装置１２のセグメント２５にバーグラフを点滅表示させてステップＳ１１９へ進む。この場合には、残コマ数Ｎが０、１、２のいずれであっても、バーグラフを構成するセグメント２５Ｌ、２５Ｃおよび２５Ｒの全てがそれぞれ点滅表示される。この結果、セグメント２５Ｌ、２５Ｃおよび２５Ｒのうちいずれかが点滅する場合に比べて、メモリカードの残容量不足が報知されていることを撮影者が気づきやすくなる。
【００８５】
さらに、上述した図１３のフローチャートにおいて、次のように変形してもよい。すなわち、演算回路１０１は、ステップＳ２０８において残コマ数Ｎ≧ｎか否かを判定し、Ｎ≧ｎが成立しない場合にステップＳ２０８を否定判定して以下の処理を行う。Ｎ≧ｎが成立する場合は上述した通りである。
【００８６】
演算回路１０１は、メモリカードが記録データでいっぱいであることを示す「ＦｕＬＬ」と、画質モード（記録画質）および画像サイズ（記録画素数）を示すマークなどの表示と、「ＢＫＴ」マークとを表示装置１１２にそれぞれ点灯表示させる。演算回路１０１はさらに、残コマ数Ｎと、バーグラフを構成するセグメント２５Ｌ、２５Ｃおよび２５Ｒと、微調整マークとを表示装置１２にそれぞれ点滅表示させて図１３による処理を終了し、図３のステップＳ１１へ進む。この場合には、残コマ数Ｎが０、１、２のいずれであっても、バーグラフを構成するセグメント２５Ｌ、２５Ｃおよび２５Ｒの全てがそれぞれ点滅表示される。この結果、セグメント２５Ｌ、２５Ｃおよび２５Ｒのうちいずれかが点滅する場合に比べて、メモリカードの残容量不足が報知されていることを撮影者が気づきやすくなる。
【００８７】
以上の説明はあくまで一例であり、上記の実施形態の構成に何ら限定されるものではない。
【図面の簡単な説明】
【００８８】
【図１】本発明の一実施の形態による電子カメラの構成を示すブロック図である。
【図２】表示装置の表示セグメントを説明する図である。
【図３】電子カメラの演算回路で行われるカメラ動作の処理の流れを説明するフローチャートである。
【図４】電子カメラの演算回路で行われるカメラ動作の処理の流れを説明するフローチャートである。
【図５】設定・表示処理の流れを説明するフローチャートである。
【図６】設定・表示処理の流れを説明するフローチャートである。
【図７】ＷＢブラケティングボタン押下時に表示装置に表示された画面の例を示す図である。
【図８】ＷＢブラケティングボタン押下時に表示装置に表示された画面の例を示す図である。
【図９】ＷＢブラケティングボタン押下時に表示装置に表示された画面の例を示す図である。
【図１０】ＷＢブラケティングボタン押下時に表示装置に表示された画面の例を示す図である。
【図１１】ＷＢブラケティングボタン押下時に表示装置に表示された画面の例を示す図である。
【図１２】表示処理の流れを説明するフローチャートである。
【図１３】表示処理の流れを説明するフローチャートである。
【図１４】ＷＢブラケティング解除時に表示装置に表示される画面の例を示す図である。
【図１５】ＷＢブラケティング解除時に表示装置に表示される画面の例を示す図である。
【図１６】ＷＢブラケティング解除時に表示装置に表示される画面の例を示す図である。
【図１７】ＷＢブラケティング設定時に表示装置に表示される画面の例を示す図である。
【図１８】ＷＢブラケティング設定時に表示装置に表示される画面の例を示す図である。
【図１９】ＷＢブラケティング設定時に表示装置に表示される画面の例を示す図である。
【図２０】ＷＢブラケティング設定時に表示装置に表示される画面の例を示す図である。
【符号の説明】
【００８９】
１０１…演算回路
１１３…ＷＢブラケティング設定操作部材
１１４…レリーズスイッチ
１１５…画質モード選択操作部材
１１６…画像サイズ選択操作部材
１２１…撮像装置
１２３…画像処理回路
１２６…記録媒体
【図１】
2008067401.tif 000003
【図２】
2008067401.tif 000004
【図３】
2008067401.tif 000005
【図４】
2008067401.tif 000006
【図５】
2008067401.tif 000007
【図６】
2008067401.tif 000008
【図７】
2008067401.tif 000009
【図８】
2008067401.tif 000010
【図９】
2008067401.tif 000011
【図１０】
2008067401.tif 000012
【図１１】
2008067401.tif 000013
【図１２】
2008067401.tif 000014
【図１３】
2008067401.tif 000015
【図１４】
2008067401.tif 000016
【図１５】
2008067401.tif 000017
【図１６】
2008067401.tif 000018
【図１７】
2008067401.tif 000019
【図１８】
2008067401.tif 000020
【図１９】
2008067401.tif 000021
【図２０】
2008067401.tif 000022
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
被写体像を撮像して画像信号を出力する撮像素子と、
前記画像信号を記録媒体に記録する画像記録回路と、
レリーズ操作に応じて１コマの画像信号を記録する第１の撮影モードと、レリーズ操作に応じて２コマ以上の所定コマ数の画像信号を記録する第２の撮影モードとを切換える切換え手段と、
前記記録媒体に記録可能な残コマ数を検出する残コマ数検出回路と、
前記残コマ数を示す数値、および第２の撮影モードの設定状態を示す複数のマークをそれぞれ表示可能な表示部材と、
前記切換え手段によって前記第２の撮影モードに切換えられているとき、前記残コマ数が前記所定コマ数より小となる場合に、前記複数のマークによる表示形態を前記残コマ数に応じて異ならせるように前記表示部材を制御する制御手段とを備えることを特徴とする電子カメラ。
【請求項２】
請求項１に記載の電子カメラにおいて、
前記制御手段は、前記表示部材の前記複数のマークのそれぞれを前記残コマ数に応じて点灯または点滅表示させることを特徴とする電子カメラ。
【請求項３】
請求項１または２に記載の電子カメラにおいて、
前記制御手段はさらに、前記残コマ数が前記所定コマ数より小となる場合に前記レリーズ操作後の前記撮像および前記記録を禁止することを特徴とする電子カメラ。
【請求項４】
請求項１〜３のいずれか一項に記載の電子カメラにおいて、
前記第２の撮影モードは、前記画像信号に対するホワイトバランス調整値を変更してホワイトバランス調整した前記所定コマ数の画像信号を前記記録媒体にそれぞれ記録するホワイトバランスブラケティング撮影を行うことを特徴とする電子カメラ。
【請求項５】
請求項１〜３のいずれか一項に記載の電子カメラにおいて、
前記第２の撮影モードは、露出値を変更して撮像した前記所定コマ数の画像信号を前記記録媒体にそれぞれ記録するＡＥブラケティング撮影を行うことを特徴とする電子カメラ。
【請求項６】
請求項１〜３のいずれか一項に記載の電子カメラにおいて、
前記第２の撮影モードは、被写体を照明する閃光装置の発光量を変更して撮像した前記所定コマ数の画像信号を前記記録媒体にそれぞれ記録する調光ブラケティング撮影を行うことを特徴とする電子カメラ。
【請求項７】
請求項１〜３のいずれか一項に記載の電子カメラにおいて、
前記第２の撮影モードは、露出値および被写体を照明する閃光装置の発光量をそれぞれ変更して撮像した前記所定コマ数の画像信号を前記記録媒体にそれぞれ記録するＡＥ調光ブラケティング撮影を行うことを特徴とする電子カメラ。
【請求項８】
請求項１〜３のいずれか一項に記載の電子カメラにおいて、
前記第２の撮影モードは、連続して撮像した前記所定コマ数の画像信号を前記記録媒体にそれぞれ記録する連写撮影を行うことを特徴とする電子カメラ。
【手続補正２】
【補正対象書類名】明細書
【補正対象項目名】０００４
【補正方法】変更
【補正の内容】
【０００４】
（１）本発明による電子カメラは、被写体像を撮像して画像信号を出力する撮像素子と、画像信号を記録媒体に記録する画像記録回路と、レリーズ操作に応じて１コマの画像信号を記録する第１の撮影モードと、レリーズ操作に応じて２コマ以上の所定コマ数の画像信号を記録する第２の撮影モードとを切換える切換え手段と、記録媒体に記録可能な残コマ数を検出する残コマ数検出回路と、残コマ数を示す数値、および第２の撮影モードの設定状態を示す複数のマークをそれぞれ表示可能な表示部材と、切換え手段によって第２の撮影モードに切換えられているとき、残コマ数が所定コマ数より小となる場合に、複数のマークによる表示形態を残コマ数に応じて異ならせるように表示部材を制御する制御手段とを備えることを特徴とする。
（２）請求項１に記載の電子カメラにおいて、制御手段は、表示部材の複数のマークのそれぞれを残コマ数に応じて点灯または点滅表示させることもできる。
（３）請求項１または２に記載の電子カメラにおいて、制御手段はさらに、残コマ数が所定コマ数より小となる場合にレリーズ操作後の撮像および記録を禁止することもできる。
（４）請求項１〜３のいずれか一項に記載の電子カメラにおいて、第２の撮影モードは、画像信号に対するホワイトバランス調整値を変更してホワイトバランス調整した所定コマ数の画像信号を記録媒体にそれぞれ記録するホワイトバランスブラケティング撮影を行うこともできる。
（５）請求項１〜３のいずれか一項に記載の電子カメラにおいて、第２の撮影モードは、露出値を変更して撮像した所定コマ数の画像信号を記録媒体にそれぞれ記録するＡＥブラケティング撮影を行うものでもよい。
（６）請求項１〜３のいずれか一項に記載の電子カメラにおいて、第２の撮影モードは、被写体を照明する閃光装置の発光量を変更して撮像した所定コマ数の画像信号を記録媒体にそれぞれ記録する調光ブラケティング撮影を行うものでもよい。
（７）請求項１〜３のいずれか一項に記載の電子カメラにおいて、第２の撮影モードは、露出値および被写体を照明する閃光装置の発光量をそれぞれ変更して撮像した所定コマ数の画像信号を記録媒体にそれぞれ記録するＡＥ調光ブラケティング撮影を行うものでもよい。
（８）請求項１〜３のいずれか一項に記載の電子カメラにおいて、第２の撮影モードは、連続して撮像した所定コマ数の画像信号を記録媒体にそれぞれ記録する連写撮影を行うものでもよい。
【手続補正３】
【補正対象書類名】明細書
【補正対象項目名】０００５
【補正方法】変更
【補正の内容】
【０００５】
本発明によれば、残コマ数の不足状態をわかりやすく表示できる。